(57)【特許請求の範囲】
【請求項１】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、エラーレートを検出するエラー検出手段と、
前記照射パワー制御手段により記録用光ビームを所定のテストパワーに制御し、このとき前記エラー検出手段により検出されたエラーレートに基づき、この所定のテストパワーを変更し、その結果、エラーレートが所定の条件を満たしたとき、変更したテストパワーに所定の係数をかけて得られるパワーを実記録パワーとして決定する照射パワー調整手段と、
光ディスクに対する光ビームのフォーカスを制御するフォーカス制御手段と、
前記フォーカス制御手段により、決定された実記録パワーで光ビームをデフォーカスさせ、このデフォーカスの結果から、フォーカス制御が不十分であったことが判明したとき、決定された実記録パワーをこの実記録パワーより大きいパワーに変更する照射パワー変更手段と、
を備えたことを特徴とする光ディスク装置。
【請求項２】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、エラーレートを検出するエラー検出手段と、
前記照射パワー制御手段により記録用光ビームをテストパワーに制御し、このとき前記エラー検出手段により検出されたエラーレートが所定のエラーレート未満であれば、記録用光ビームの照射パワーをテストパワーより２ｍＷ大きい実記録パワーに決定する照射パワー調整手段と、
光ディスクに対する光ビームのフォーカスを制御するフォーカス制御手段と、
前記フォーカス制御手段により、決定された実記録パワーで光ビームをデフォーカスさせ、このデフォーカスの結果から、フォーカス制御が不十分であったことが判明したとき、決定された実記録パワーをこの実記録パワーより大きいパワーに変更する照射パワー変更手段と、
を備えたことを特徴とする光ディスク装置。
【請求項３】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、エラーレートを検出するエラー検出手段と、
前記照射パワー制御手段により記録用光ビームをテストパワーＰ１に制御し、このとき前記エラー検出手段により検出されたエラーレートＥ１が所定のエラーレート未満であれば、記録用光ビームの照射パワーをテストパワーＰ１より２ｍＷ大きい実記録パワーＰＡに決定する第１の照射パワー調整手段と、
エラーレートＥ１が所定のエラーレート以上であれば、前記照射パワー制御手段により記録用光ビームをテストパワーＰ２に制御し、このとき前記エラー検出手段により検出されたエラーレートＥ２が所定のエラーレート未満であれば、記録用光ビームの照射パワーをテストパワーＰ２より２ｍＷ大きい実記録パワーＰＢに決定する第２の照射パワー調整手段と、
光ディスクに対する光ビームのフォーカスを制御するフォーカス制御手段と、
前記フォーカス制御手段により、決定された実記録パワーで光ビームをデフォーカスさせ、このデフォーカスの結果から、フォーカス制御が不十分であったことが判明したとき、決定された実記録パワーをこの実記録パワーより大きいパワーに変更する照射パワー変更手段と、
を備えたことを特徴とする光ディスク装置。
【請求項４】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、エラーレートを検出するエラー検出手段と、
前記照射パワー制御手段により記録用光ビームをテストパワーＰ１に制御し、このとき前記エラー検出手段により検出されたエラーレートＥ１が第１のエラーレート未満であれば、記録用光ビームの照射パワーをテストパワーＰ１より２ｍＷ大きい実記録パワーＰＡに決定する第１の照射パワー調整手段と、
エラーレートＥ１が第１のエラーレート以上であれば、前記照射パワー制御手段により記録用光ビームをテストパワーＰ２に制御し、このとき前記エラー検出手段により検出されたエラーレートＥ２が第１のエラーレート未満であれば、記録用光ビームの照射パワーをテストパワーＰ２より２ｍＷ大きい実記録パワーＰＢに決定する第２の照射パワー調整手段と、
エラーレートＥ２が第１のエラーレート以上で且つ第２のエラーレート以下で、さらに、エラーレートＥ１とエラーレートＥ２との差が規定値以下であれば、記録用光ビームの照射パワーを実記録パワーＰＡに決定する第３の照射パワー調整手段と、
を備えたことを特徴とする光ディスク装置。
【請求項５】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、エラーレートを検出するエラー検出手段と、
前記照射パワー制御手段により記録用光ビームをテストパワーＰ１に制御し、このとき前記エラー検出手段により検出されたエラーレートＥ１が第１のエラーレート未満であれば、記録用光ビームの照射パワーをテストパワーＰ１より２ｍＷ大きい実記録パワーＰＡに決定する第１の照射パワー調整手段と、
エラーレートＥ１が第１のエラーレート以上であれば、前記照射パワー制御手段により記録用光ビームをテストパワーＰ２に制御し、このとき前記エラー検出手段により検出されたエラーレートＥ２が第１のエラーレート未満であれば、記録用光ビームの照射パワーをテストパワーＰ２より２ｍＷ大きい実記録パワーＰＢに決定する第２の照射パワー調整手段と、
エラーレートＥ２が第１のエラーレート以上で且つ第２のエラーレート以下で、さらに、エラーレートＥ１とエラーレートＥ２との差が第１の規定値以下であれば、記録用光ビームの照射パワーを実記録パワーＰＡに決定する第３の照射パワー調整手段と、
エラーレートＥ２が第１のエラーレート以上で且つ第２のエラーレート以下で、さらに、エラーレートＥ１とエラーレートＥ２との差が所定値より大きければ、前記照射パワー制御手段により記録用光ビームをテストパワーＰ３に制御し、このとき前記エラー検出手段により検出されたエラーレートＥ３とエラーレートＥ２との差が第２の規定値以下であれば、記録用光ビームの照射パワーを実記録パワーＰＢに決定する第４の照射パワー調整手段と、
エラーレートＥ３とエラーレートＥ２との差が第２の規定値より大きければ、記録用光ビームの照射パワーをテストパワーＰ３より２．２ｍＷ大きい実記録パワーＰＣに決定する第５の照射パワー調整手段と、
を備えたことを特徴とする光ディスク装置。
【請求項６】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、１ライン中に含まれるエラーバイト数を検出するエラー検出手段と、
エラー検出手段によるエラー検出の結果、５バイト以上のエラーを含むラインをエラーラインと判定するエラーライン判定手段と、
前記照射パワー制御手段により記録用光ビームをテストパワーに制御し、このときのエラーラインの数が規定数未満であれば、記録用光ビームの照射パワーをテストパワーより２ｍＷ大きい実記録パワーに決定する照射パワー調整手段と、
を備えたことを特徴とする光ディスク装置。
【請求項７】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、１ライン中に含まれるエラーバイト数を検出するエラー検出手段と、
エラー検出手段によるエラー検出の結果、５バイト以上のエラーを含むラインをエラーラインと判定するエラーライン判定手段と、
前記照射パワー制御手段により記録用光ビームをテストパワーＰ１に制御し、このときのエラーラインＥ１の数が規定数未満であれば、記録用光ビームの照射パワーをテストパワーＰ１より２ｍＷ大きい実記録パワーＰＡに決定する第１の照射パワー調整手段と、
エラーラインＥ１の数が規定数以上であれば、前記照射パワー制御手段により記録用光ビームをテストパワーＰ１より大きいテストパワーＰ２に制御し、このときのエラーラインＥ２の数が規定数未満であれば、記録用光ビームの照射パワーを実記録パワーＰＡより大きくテストパワーＰ２より２ｍＷ大きい実記録パワーＰＢに決定する第２の照射パワー調整手段と、
を備えたことを特徴とする光ディスク装置。
【請求項８】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、１ライン中に含まれるエラーバイト数を検出するエラー検出手段と、
エラー検出手段によるエラー検出の結果、５バイト以上のエラーを含むラインをエラーラインと判定するエラーライン判定手段と、
前記照射パワー制御手段により記録用光ビームをテストパワーＰ１に制御し、このときのエラーラインＥ１の数が第１の規定数未満であれば、記録用光ビームの照射パワーをテストパワーＰ１より２ｍＷ大きい実記録パワーＰＡに決定する第１の照射パワー調整手段と、
エラーラインＥ１の数が第１の規定数以上であれば、前記照射パワー制御手段により記録用光ビームをテストパワーＰ１より大きいテストパワーＰ２に制御し、このときのエラーラインＥ２の数が第１の規定数未満であれば、記録用光ビームの照射パワーを実記録パワーＰＡより大きくテストパワーＰ２より２ｍＷ大きい実記録パワーＰＢに決定する第２の照射パワー調整手段と、
エラーラインＥ２の数が第１の規定数以上で且つ第２の規定数以下で、さらに、エラーラインＥ１とエラーラインＥ２との差が第３の規定数以下であれば、記録用光ビームの照射パワーを実記録パワーＰＡに決定する第３の照射パワー調整手段と、
を備えたことを特徴とする光ディスク装置。
【請求項９】
光ディスクに対して照射パワーの異なる記録用光ビーム及び再生用光ビームを選択的に照射する照射手段と、
前記照射手段により照射される光ビームの照射パワーを制御する照射パワー制御手段と、
所定のデータに対してエラー訂正コードを付加して記録データを生成し、この記録データを前記照射手段から照射される記録用光ビームに反映させて、光ディスクにこの記録データを記録する記録手段と、
前記照射手段により光ディスクに対して再生用光ビームを照射し、このとき光ディスクからの反射光を検出し、この反射光に反映された記録データを再生する再生手段と、
前記再生手段により再生されたデータに含まれるエラー訂正コードにより、１ライン中に含まれるエラーバイト数を検出するエラー検出手段と、
エラー検出手段によるエラー検出の結果、５バイト以上のエラーを含むラインをエラーラインと判定するエラーライン判定手段と、
前記照射パワー制御手段により記録用光ビームをテストパワーＰ１に制御し、このときのエラーラインＥ１の数が第１の規定数未満であれば、記録用光ビームの照射パワーをテストパワーＰ１より２ｍＷ大きい実記録パワーＰＡに決定する第１の照射パワー調整手段と、
エラーラインＥ１の数が第１の規定数以上であれば、前記照射パワー制御手段により記録用光ビームをテストパワーＰ１より大きいテストパワーＰ２に制御し、このときのエラーラインＥ２の数が第１の規定数未満であれば、記録用光ビームの照射パワーを実記録パワーＰＡより大きくテストパワーＰ２より２ｍＷ大きい実記録パワーＰＢに決定する第２の照射パワー調整手段と、
エラーラインＥ２の数が第１の規定数以上で且つ第２の規定数以下で、さらに、エラーラインＥ１とエラーラインＥ２との差が第３の規定数以下であれば、記録用光ビームの照射パワーを実記録パワーＰＡに決定する第３の照射パワー調整手段と、
エラーラインＥ２の数が第１の規定数以上で且つ第２の規定数以下で、さらに、エラーラインＥ１とエラーラインＥ２との差が第３の規定数より大きければ、前記照射パワー制御手段により記録用光ビームをテストパワーＰ２より大きいテストパワーＰ３に制御し、このときのエラーラインＥ３とエラーラインＥ２との差が第１の規定値以下であれば、記録用光ビームの照射パワーを実記録パワーＰＢに決定する第４の照射パワー調整手段と、
エラーラインＥ３とエラーラインＥ２との差が第１の規定値より大きければ、記録用光ビームの照射パワーをテストパワーＰ３より２．２ｍＷ大きい実記録パワーＰＣに決定する第５の照射パワー調整手段と、
を備えたことを特徴とする光ディスク装置。
【請求項１０】
光ディスクに対する光ビームのフォーカスを制御するフォーカス制御手段と、
前記フォーカス制御手段により、決定された実記録パワーで光ビームをデフォーカスさせ、このデフォーカスの結果から、フォーカス制御が不十分であったことが判明したとき、決定された実記録パワーをこの実記録パワーより大きいパワーに変更する照射パワー変更手段と、
を備えたことを特徴とする請求項４、５、６、７、８、又は９に記載の光ディスク装置。
【請求項１１】
テストパワーに制御された記録用光ビームにより、所定のデータに対してエラー訂正コードを付加して生成された記録データを記録し、
このテストパワーで記録された記録データを再生し、
この再生されたデータから検出されたエラーレートに基づき、この所定のテストパワーを変更し、
その結果、エラーレートが所定の条件を満たしたとき、変更したテストパワーに所定の係数をかけて得られるパワーを実記録パワーとして決定し、
決定された実記録パワーで光ビームをデフォーカスさせ、このデフォーカスの結果から、フォーカス制御が不十分であったことが判明したとき、決定された実記録パワーをこの実記録パワーより大きいパワーに変更する、
ことを特徴とする光ビームの照射パワー調整方法。
【請求項１２】
テストパワーに制御された記録用光ビームにより、所定のデータに対してエラー訂正コードを付加して生成された記録データを記録し、
このテストパワーで記録された記録データを再生し、この再生されたデータから検出されたエラーラインの数が規定数未満であれば、記録用光ビームの照射パワーをテストパワーより２ｍＷ大きい実記録パワーに決定する、
ことを特徴とする光ビームの照射パワー調整方法。
【請求項１３】
テストパワーＰ１に制御された記録用光ビームにより、所定のデータに対してエラー訂正コードを付加して生成された記録データを記録し、
このテストパワーＰ１で記録された記録データを再生し、この再生されたデータから検出されたエラーラインＥ１の数が規定数未満であれば、記録用光ビームの照射パワーをテストパワーＰ１より２ｍＷ大きい実記録パワーＰＡに決定し、
エラーラインＥ１の数が規定数以上であれば、テストパワーＰ１より大きいテストパワーＰ２に制御された記録用光ビームにより記録データを記録し、
このテストパワーＰ２で記録された記録データを再生し、この再生されたデータから検出されたエラーラインＥ２の数が規定数未満であれば、記録用光ビームの照射パワーを実記録パワーＰＡより大きくテストパワーＰ２より２ｍＷ大きい実記録パワーＰＢに決定する、
ことを特徴とする光ビームの照射パワー調整方法。
【請求項１４】
テストパワーＰ１に制御された記録用光ビームにより、所定のデータに対してエラー訂正コードを付加して生成された記録データを記録し、
このテストパワーＰ１で記録された記録データを再生し、この再生されたデータから検出されたエラーラインＥ１の数が第１の規定数未満であれば、記録用光ビームの照射パワーをテストパワーＰ１より２ｍＷ大きい実記録パワーＰＡに決定し、
エラーラインＥ１の数が第１の規定数以上であれば、テストパワーＰ１より大きいテストパワーＰ２に制御された記録用光ビームにより記録データを記録し、
このテストパワーＰ２で記録された記録データを再生し、この再生されたデータから検出されたエラーラインＥ２の数が第１の規定数未満であれば、記録用光ビームの照射パワーを実記録パワーＰＡより大きくテストパワーＰ２より２ｍＷ大きい実記録パワーＰＢに決定し、
エラーラインＥ２の数が第１の規定数以上で且つ第２の規定数以下で、さらに、エラーラインＥ１とエラーラインＥ２との差が第３の規定数以下であれば、記録用光ビームの照射パワーを実記録パワーＰＡに決定する、
ことを特徴とする光ビームの照射パワー調整方法。
【請求項１５】
テストパワーＰ１に制御された記録用光ビームにより、所定のデータに対してエラー訂正コードを付加して生成された記録データを記録し、
このテストパワーＰ１で記録された記録データを再生し、この再生されたデータから検出されたエラーラインＥ１の数が第１の規定数未満であれば、記録用光ビームの照射パワーをテストパワーＰ１より２ｍＷ大きい実記録パワーＰＡに決定し、
エラーラインＥ１の数が第１の規定数以上であれば、テストパワーＰ１より大きいテストパワーＰ２に制御された記録用光ビームにより記録データを記録し、
このテストパワーＰ２で記録された記録データを再生し、この再生されたデータから検出されたエラーラインＥ２の数が第１の規定数未満であれば、記録用光ビームの照射パワーを実記録パワーＰＡより大きくテストパワーＰ２より２ｍＷ大きい実記録パワーＰＢに決定し、
エラーラインＥ２の数が第１の規定数以上で且つ第２の規定数以下で、さらに、エラーラインＥ１とエラーラインＥ２との差が第３の規定数以下であれば、記録用光ビームの照射パワーを実記録パワーＰＡに決定する、
エラーラインＥ２の数が第１の規定数以上で且つ第２の規定数以下で、さらに、エラーラインＥ１とエラーラインＥ２との差が第３の規定数より大きければ、テストパワーＰ２より大きいテストパワーＰ３に制御された記録用光ビームにより記録データを記録し、
このテストパワーＰ３で記録された記録データを再生し、この再生されたデータから検出されたエラーラインＥ３とエラーラインＥ２との差が第１の規定値以下であれば、記録用光ビームの照射パワーを実記録パワーＰＢに決定し、
エラーラインＥ３とエラーラインＥ２との差が第１の規定値より大きければ、記録用光ビームの照射パワーをテストパワーＰ３より２．２ｍＷ大きい実記録パワーＰＣに決定する、
ことを特徴とする光ビームの照射パワー調整方法。
【請求項１６】
決定された実記録パワーで光ビームをデフォーカスさせ、このデフォーカスの結果から、フォーカス制御が不十分であったことが判明したとき、決定された実記録パワーをこの実記録パワーより大きいパワーに変更する、
ことを特徴とする請求項１２、１３、１４、又は１５に記載の光ビームの照射パワー制御方法。
【発明の詳細な説明】
【０００１】
【発明の属する技術分野】
この発明は、光ディスクにデータを記録する記録用光ビームの照射パワーを調整する光ディスク装置及び光ビームの照射パワー調整方法に関する。
【０００２】
【従来の技術】
光ディスクにデータを記録するときには、記録データが正確に記録されるように、記録用光ビームの照射パワーが調整される。
【０００３】
【発明が解決しようとする課題】
しかし、光ディスクにデータを記録するときには、様々な条件が影響して、正確に記録用光ビームの照射パワーを調整することができないという問題があった。
【０００４】
この発明の目的は、上記したような事情に鑑み成されたものであって、正確に記録用光ビームの照射パワーを調整することができる光ディスク装置及び光ビームの照射パワー調整方法を提供することにある。
【０００５】
【課題を解決するための手段】
上記課題を解決し目的を達成するために、この発明の光ディスク装置及び光ビームの照射パワー調整方法は、以下のように構成されている。
【０００６】
（１）この発明の光ディスク装置は、光ディスクに対して照射パワーの異なる記録用光ビーム及び再生用光ビームを選択的に照射する照射手段と、前記照射手段により照射される光ビームの照射パワーを制御する照射パワー制御手段と、所定のデータに対してエラー訂正コードを付加して記録データを生成し、この記録データを前記照射手段から照射される記録用光ビームに反映させて、光ディスクにこの記録データを記録する記録手段と、前記照射手段により光ディスクに対して再生用光ビームを照射し、このとき光ディスクからの反射光を検出し、この反射光に反映された記録データを再生する再生手段と、前記再生手段により再生されたデータに含まれるエラー訂正コードにより、エラーレートを検出するエラー検出手段と、前記照射パワー制御手段により記録用光ビームを所定のテストパワーに制御し、このとき前記エラー検出手段により検出されたエラーレートに基づき、この所定のテストパワーを変更し、その結果、エラーレートが所定の条件を満たしたとき、変更したテストパワーに所定の係数をかけて得られるパワーを実記録パワーとして決定する照射パワー調整手段とを備えている。
【０００７】
（２）この発明の光ビームの照射パワー調整方法は、テストパワーに制御された記録用光ビームにより、所定のデータに対してエラー訂正コードを付加して生成された記録データを記録し、このテストパワーで記録された記録データを再生し、この再生されたデータから検出されたエラーレートに基づき、この所定のテストパワーを変更し、その結果、エラーレートが所定の条件を満たしたとき、変更したテストパワーに所定の係数をかけて得られるパワーを実記録パワーとして決定する。
【０００８】
【発明の実施の形態】
以下、この発明の実施の形態について図面を参照して説明する。
【０００９】
図１は、この発明の一例に係る光ディスク装置の概略構成を示すブロック図である。
【００１０】
図１に示す光ディスク装置は、光ディスク１に対して所定のデータを記録したり、光ディスク１に記録されたデータを再生したりするものである。この光ディスク装置は、ディスクモータ２、ＰＵＨ（ピックアップヘッド）３、レーザ制御部４、記録データ生成部５、信号処理部６、エラー訂正処理部７、フォーカス／トラキング制御部８、及び照射パワー調整部９等を備えている。
【００１１】
ディスクモータ２は、光ディスク１を所定速度で回転させる。ＰＵＨ３は、レーザ照射部３ａ及び光検出部３ｂを備えている。レーザ照射部３ａは、光ディスクに対して照射パワーの異なる記録用光ビーム及び再生用光ビームを選択的に照射する。光検出部３ｂは、レーザ照射部３ａから照射された光ビームの光ディスクからの反射光を検出する。レーザ制御部４は、レーザ照射部３ａのオン／オフを制御すると共に、このレーザ照射部３ａから照射される光ビームの照射パワーを制御する。記録データ生成部５は、記録対象のデータにエラー訂正コードを付加して記録用データを生成する。この記録用データの詳細については後に詳細に説明する。
【００１２】
信号処理部６は、光検出部３ｂで検出された反射光に反映されたデータを再生する。エラー訂正処理部７は、信号処理部６で再生されたデータに含まれるエラー訂正コード（後述する横方向のエラー訂正コードＥＣＣ１及び縦方向のエラー訂正コードＥＣＣ２）に基づき、再生されたデータに含まれるエラーを訂正する。また、このエラー訂正処理部７は、エラー検出部７ａ及びエラーライン判定部７ｂを備えている。エラー検出部７ａは、信号処理部６で再生されたデータに含まれるエラー訂正コード（後述する横方向のエラー訂正コードＥＣＣ１）に基づき、再生された１ライン中のデータに含まれるエラーバイト数を検出する。エラーライン判定部７ｂは、エラー検出結果に基づき、再生されたラインがエラーラインに該当するか否かを判定する。例えば、１ライン中に５バイト以上のエラーが含まれたラインをエラーラインとして判定する。１ライン中に４バイトまでのエラーが含まれている場合には、エラー訂正コードのエラー訂正能力で訂正することができる。しかし、これ以上のエラーが含まれている場合には、エラー訂正コードでは訂正できない。このため、１ライン中に５バイト以上のエラーが含まれたラインをエラーラインとして判定する。
【００１３】
フォーカス／トラッキング制御部８は、信号処理部で再生されたデータに基づきＰＵＨ３から照射される光ビームのフォーカス及びトラッキングを制御する。照射パワー調整部９は、エラーライン判定部７ｂで判定されたエラーライン数に応じて照射パワーを決定しレーザ制御部４に通知する。この照射パワー調整部９による照射パワーの決定等は後に詳しく説明する。
【００１４】
ここで、図２及び図３を参照して、記録データ生成部５で生成される記録用データの詳細について説明する。図２は、ＥＣＣブロックのデータ構造を概略的に示す図である。図３は、記録用データユニットのデータ構造を概略的に示す図である。ここで説明する記録用データは、ＤＶＤ−ＲＡＭの規格フォーマットである。
【００１５】
ＤＶＤ−ＲＡＭには、データの記録を担うトラックが形成されており、このトラックには所定単位のデータが記録されるセクタフィールドが複数形成されている。また、ＤＶＤ−ＲＡＭには、ＥＣＣブロックと呼ばれるフォーマットのデータが記録されるようになっている。厳密に言うと、ＥＣＣブロックから生成される１６個の記録用データユニット（＝上記した記録用データ）が、１６個のセクタフィールドに分散記録されるようになっている。
【００１６】
図２に示すように、ＥＣＣブロックは、データブロックＤＢ（ユーザデータの集まり）、横方向のエラー訂正コードＥＣＣ１、及び縦方向のエラー訂正コードＥＣＣ２で構成されている。
【００１７】
データブロックＤＢは、所定数の行及び列に沿って配列されたデータにより構成されており、このデータブロックは１６個のデータユニットＤＵに分割することができる。さらに詳しく言うと、データブロックＤＢは、１７２（バイト数）×１２（データユニットを構成する行数）×１６（データブロックを構成するデータユニット数）のデータにより構成されている。データユニットＤＵは、１７２（バイト数）×１２（データユニットを構成する行数）のデータにより構成されている。また、データユニットＤＵには、エラー検出コードＥＤＣ（Error Detection Code）が含まれている。このエラー検出コードＥＤＣは、データユニット内の一部のデータの集まりに含まれるエラーを検出するためのものである。
【００１８】
横方向のエラー訂正コードＥＣＣ１は、データブロックＤＢのうちの列方向のデータに含まれるエラーを訂正するものである。さらに詳しく言うと、横方向のエラー訂正コードＥＣＣ１は、１０（バイト）×１２（データユニットＤＵを構成する行数）×１６（データブロックＤＢを構成するデータユニットＤＵの数）のデータにより構成されている。
【００１９】
縦方向のエラー訂正コードＥＣＣ２は、データブロックＤＢのうちの行方向のデータに含まれるエラーを訂正するものである。さらに詳しく言うと、縦方向のエラー訂正コードＥＣＣ２は、｛１７２（バイト）＋１０（バイト）｝×１６（データブロックＤＢを構成するデータユニットＤＵの数）のデータにより構成されている。
【００２０】
続いて、図３を参照して、記録用データユニットＲＤＵについて説明する。
【００２１】
一つのＥＣＣブロックから１６個の記録用データユニットＲＤＵが生成される。一つの記録用データユニットＲＤＵは、データユニットＤＵ、このデータユニットＤＵに対して付与されている横方向のエラー訂正コードＥＣＣ１の一部、及び縦方向のエラー訂正コードＥＣＣ２の一部により構成されている。さらに詳しく言うと、記録用データユニットＲＤＵは、｛１７２（バイト）＋１０（バイト）｝×１２（データユニットＤＵを構成する行数）＋１（縦方向のエラー訂正コードＥＣＣ２の１列分）のデータにより構成されている。
【００２２】
ここで、上記説明した光ディスク装置によるデータの記録について説明する。記録対象となる所定のデータ（＝ユーザデータ）が記録データ生成部５に入力されると、記録データ生成部５はこの所定のデータから記録用データ（＝上記説明した記録用データユニットＲＤＵ）を生成する。レーザ制御部４は、レーザ照射部３ａから記録用データを反映させた記録用光ビームを照射させる。これにより、光ディスクに記録用データが記録される。厳密に言うと、光ディスク上の各セクタフィールドに記録用データが記録される。
【００２３】
続いて、上記説明した光ディスク装置によるデータの再生について説明する。レーザ制御部４は、レーザ照射部３ａから再生用光ビームを照射させる。このとき、光検出部３ｂが光ディスクからの反射光を検出し、信号処理部６がこの反射光に反映されたデータを再生する。また、エラー訂正処理部７は、再生されたデータに含まれるエラー訂正コード（横方向のエラー訂正コードＥＣＣ１及び縦方向のエラー訂正コードＥＣＣ２）に基づき、再生されたデータに含まれるエラーを訂正する。
【００２４】
次に、図１に示す光ディスク装置で実行される光ビームの照射パワー調整方法について説明する。
【００２５】
光ビームの照射パワーと、そのときの光ビームで記録されたデータのエラーレートとの関係は、およそ図４に示すようになる。図４におけるグラフＧ１は、ディスク表面に傷等の無い正常ディスクを対象とした結果である。一方、グラフＧ２は、ディスク表面に傷等の有る欠陥ディスクを対象とした結果である。正常ディスクに対して欠陥ディスクの方が、一律、エラーレートが底上げされているのが分かる。また、正常ディスク及び欠陥ディスクとも、エラーレートの変化に一定の特徴があるのも分かる。その特徴とは、照射パワーを上昇させるにつれて、最初にエラーレートが急激に下降し（区間ａ１）、続いて緩やかに下降し（区間ａ２）、続いて比較的安定し（区間ａ３）、続いて緩やかに上昇し（区間ａ４）、最後に再び急激に上昇する（区間ａ５）。
【００２６】
この発明では、まず、テストパワーでデータを記録し、このとき記録されたデータのエラーレートをチェックする。ここでエラーレートが規定値未満であれば、このテストパワーは区間ａ２（又は区間ａ４）に含まれるパワーであると判断し、このテストパワーに所定の係数をかけて区間ａ３に含まれるパワーを導き出す。この導き出されたパワーが実記録パワーとして設定される。テストパワーが区間ａ２に含まれるものなのか、又は区間ａ４に含まれるものなのかは、テストパワーの強さからおよそ判断がつくものとする。弱めのテストパワーでエラーレートが規定値未満ならこのテストパワーは区間ａ２に含まれるパワーであると判断でき、逆に、強めのテストパワーでエラーレートが規定値未満ならこのテストパワーは区間ａ４に含まれるパワーであると判断できる。
【００２７】
エラーレートが規定値以上の場合には、テストパワーを変更し（テストパワーを振ってみる）、変更されたテストパワーでデータを記録し、このとき記録されたデータのエラーレートをチェックする。いくつかの異なるテストパワーに変更し、エラーレートが大幅に下がるポイントを探る。テストパワーを変更してエラーレートが大幅に下がるポイントとは、図４の区間ａ１又は区間ａ５である。つまり、エラーレートが大幅に下がるポイントが見つかれば、このポイントを記録条件の立ち上がり（区間ａ１）、又は立ち下がり（区間ａ５）とみなし、エラーレートが大幅に下がったテストパワーに所定の係数をかけて区間ａ３に含まれるパワーを導き出す。この導き出されたパワーが実記録パワーとして設定される。記録条件の立ち上がりか立ち下がりかは、変更されたテストパワーの強さからおよそ判断がつくものとする。但し、エラーレートによる判定方法は、エラーが多い場合に計算に時間がかかる。前述のエラーラインで判断する方がテスト時間を短縮できるので、以下説明する具体例ではエラーラインを用いた判定方式で説明している。
【００２８】
さらに、上記したようにして決定した実記録パワーで、光ビームを両方向にデフォーカスさせてみる（ディスク表面に近づくようなデフォーカス、及びディスク表面から遠ざかるようなデフォーカス）。このとき、夫々のデフォーカスの結果が対象でなければ（所定の条件を満たさない場合には）、フォーカスが不十分であったものと見なして決定した実記録パワーを所定パワーだけアップさせる。これにより、さらに、精度の高い実記録パワーを決定することができる。
【００２９】
この発明では、図４に示すようなエラーレートの変化の特徴を考慮して、光ビームの照射パワーを調整する。これにより、正常ディスクは勿論のこと、欠陥ディスクであっても（欠陥ディスクであってもエラーレートの変化の特徴は正常ディスクと同じ）、光ビームの照射パワーを最適に調整することができる。単に、エラーレートだけを見て、光ビームの照射パワーを調整しようとすると、欠陥ディスクの場合には、エラーレートがある一定値から下がらないのでうまく調整できないことがある。
【００３０】
次に、図５及び図６に示すフローチャートを参照して、この発明の光ビームの照射パワー調整方法を具体的に説明する。
【００３１】
テストパワーとして、パワーの小さいものから順に、テストパワーＰ１、Ｐ２、Ｐ３、Ｐ４を設定する。また、実記録パワーとして、パワーの小さいものから順に、実記録パワーＰＡ、ＰＢ、ＰＣ、ＰＤを設定する。なお、これらテストパワー及び実記録パワーを数値（単位はｍＷ）で表すと以下のようになる。
【００３２】
Ｐ１＝９．４    ＰＡ＝１１．４
Ｐ２＝９．８    ＰＢ＝１１．８
Ｐ３＝１０．６  ＰＣ＝１２．８
Ｐ４＝１１      ＰＤ＝１３．２
光ビームの照射パワー調整時には、まず、照射パワー制御手段により記録用光ビームの照射パワーがテストパワーＰ１に制御され、このテストパワーＰ１により記録用データが記録される（ＳＴ１）。以下、各テストパワーで記録される記録用データは、例えば、４ＥＣＣブロック分のデータである。このテストパワーＰ１で記録されたデータはＰＵＨ３及び信号処理部６により再生され、エラー検出部７ａによりエラーバイト数が検出される。このとき、エラーライン判定部７ｂが、１ライン中に５バイト以上のエラーを含むラインをエラーラインと判定する。さらに、照射パワー調整部９が、４ＥＣＣブロック中に含まれるエラーライン数に基づき照射パワーを決定しレーザ制御部４に通知する。レーザ制御部４は、通知に従ってレーザ照射部３ａを制御し所定の照射パワーのレーザを出射させる。
【００３３】
テストパワーＰ１で記録された４ＥＣＣブロック分のデータを再生したとき、再生された４ＥＣＣブロック分のデータに含まれるエラーラインＥ１が５０未満であれば（ＳＴ２、ＹＥＳ）、記録用光ビームの照射パワーを実記録パワーＰＡに決定する（ＳＴ３）。つまり、このときのテストパワーＰ１が、図４に示す区間ａ２に含まれるものと判断し、このテストパワーＰ１に所定の係数をかけた実記録パワーＰＡが採用される。
【００３４】
エラーラインＥ１が５０以上の場合には（ＳＴ２、ＮＯ）、テストパワーＰ２で４ＥＣＣブロック分のデータを記録し（ＳＴ４）、この４ＥＣＣブロック分のデータを再生したとき、再生された４ＥＣＣブロック分のデータに含まれるエラーライン数Ｅ２が５０未満であれば（ＳＴ５、ＹＥＳ）、記録用光ビームの照射パワーを実記録パワーＰＢに決定する（ＳＴ６）。つまり、このときのテストパワーＰ１が区間ａ２を外れ、テストパワーＰ２が区間ａ２に含まれるものと判断し、このテストパワーＰ２に所定の係数をかけた実記録パワーＰＢが採用される。
【００３５】
エラーラインＥ２が５０以上（ＳＴ５、ＮＯ）且つ４１６以下で（ＳＴ７、ＮＯ）、さらに、エラーラインＥ１とエラーラインＥ２との差（Ｅ１−Ｅ２）が１００以下の場合には（ＳＴ８、ＮＯ）、記録用光ビームの照射パワーを実記録パワーＰＡに決定する（ＳＴ９）。つまり、エラーラインＥ１とエラーラインＥ２の差が小さいことから、テストパワーＰ１及びテストパワーＰ２は共に区間ａ２を外れているがエラーレートの変化率が比較的小さいポイントにあると判断し、このテストパワーＰ１に所定の係数をかけた実記録パワーＰＡが採用される。
【００３６】
エラーラインＥ２が５０以上（ＳＴ５、ＮＯ）且つ４１６以下で（ＳＴ７、ＮＯ）、さらに、エラーラインＥ１とエラーラインＥ２との差（Ｅ１−Ｅ２）が１００より大きい場合には（ＳＴ８、ＹＥＳ）、テストパワーＰ３で４ＥＣＣブロック分のデータを記録し（ＳＴ１０）、この４ＥＣＣブロック分のデータを再生したとき、再生された４ＥＣＣブロック分のデータに含まれるエラーライン数Ｅ３とエラーライン数Ｅ２との差（Ｅ２−Ｅ３）が５０以下の場合には（ＳＴ１１、ＮＯ）、記録用光ビームの照射パワーを実記録パワーＰＢに決定する（ＳＴ１２）。
【００３７】
エラーライン数Ｅ３とエラーライン数Ｅ２との差（Ｅ２−Ｅ３）が５０より大きい場合には（ＳＴ１１、ＹＥＳ）、記録用光ビームの照射パワーを実記録パワーＰＣに決定する（ＳＴ１３）。
【００３８】
エラーラインＥ２が４１６より大きい場合には（ＳＴ７、ＹＥＳ）、テストパワーＰ３で４ＥＣＣブロック分のデータを記録し（ＳＴ１４）、この４ＥＣＣブロック分のデータを再生したとき、再生された４ＥＣＣブロック分のデータに含まれるエラーライン数Ｅ３が５０未満であれば（ＳＴ１５、ＹＥＳ）、記録用光ビームの照射パワーを実記録パワーＰＣに決定する（ＳＴ１６）。
【００３９】
エラーラインＥ３が５０以上（ＳＴ１５、ＮＯ）且つ４１６以下で（ＳＴ１７、ＮＯ）、さらに、エラーラインＥ２とエラーラインＥ３との差（Ｅ２−Ｅ３）が１００以下の場合には（ＳＴ１８、ＮＯ）、記録用光ビームの照射パワーを実記録パワーＰＢに決定する（ＳＴ１９）。
【００４０】
エラーラインＥ３が５０以上（ＳＴ１５、ＮＯ）且つ４１６以下で（ＳＴ１７、ＮＯ）、さらに、エラーラインＥ１とエラーラインＥ２との差（Ｅ１−Ｅ２）が１００より大きい場合には（ＳＴ１８、ＹＥＳ）、テストパワーＰ４で４ＥＣＣブロック分のデータを記録し（ＳＴ２０）、この４ＥＣＣブロック分のデータを再生したとき、再生された４ＥＣＣブロック分のデータに含まれるエラーライン数Ｅ４とエラーライン数Ｅ３との差（Ｅ３−Ｅ４）が５０以下の場合には（ＳＴ２１、ＮＯ）、記録用光ビームの照射パワーを実記録パワーＰＣに決定する（ＳＴ２２）。
【００４１】
エラーライン数Ｅ４とエラーライン数Ｅ３との差（Ｅ３−Ｅ４）が５０より大きい場合には（ＳＴ２１、ＹＥＳ）、記録用光ビームの照射パワーを実記録パワーＰＤに決定する（ＳＴ２３）。
【００４２】
エラーラインＥ３が４１６より大きい場合には（ＳＴ１７、ＹＥＳ）、テストパワーＰ４で４ＥＣＣブロック分のデータを記録し（ＳＴ２４）、この４ＥＣＣブロック分のデータを再生したとき、再生された４ＥＣＣブロック分のデータに含まれるエラーライン数Ｅ４が５０未満であれば（ＳＴ２５、ＹＥＳ）、記録用光ビームの照射パワーを実記録パワーＰＤに決定する（ＳＴ２６）。
【００４３】
エラーラインＥ４が５０以上（ＳＴ２５、ＮＯ）且つ４１６以下で（ＳＴ２７、ＮＯ）、さらに、エラーラインＥ３とエラーラインＥ４との差（Ｅ３−Ｅ４）が１００以下の場合には（ＳＴ２８、ＮＯ）、記録用光ビームの照射パワーを実記録パワーＰＣに決定する（ＳＴ２９）。
【００４４】
エラーラインＥ４が５０以上（ＳＴ２５、ＮＯ）且つ４１６以下で（ＳＴ２７、ＮＯ）、さらに、エラーラインＥ３とエラーラインＥ４との差（Ｅ３−Ｅ４）が１００より大きい場合には（ＳＴ２８、ＹＥＳ）、記録用光ビームの照射パワーを実記録パワーＰＤに決定する（ＳＴ３０）。
【００４５】
エラーラインＥ４が４１６より大きい場合には（ＳＴ２７、ＹＥＳ）、テスト記録の位置を例えば外周へ変更する（ＳＴ３１）。つまり、テストパワーを次々と変更してもエラーレートが下がらない場合には、テスト場所を変更する。
【００４６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４７】
【発明の効果】
この発明によれば、正確に記録用光ビームの照射パワーを調整することができる光ディスク装置及び光ビームの照射パワー調整方法を提供できる。
【図面の簡単な説明】
【図１】この発明の一例に係る光ディスク装置の概略構成を示すブロック図である。
【図２】ＥＣＣブロックのデータ構造を概略的に示す図である。
【図３】記録用データユニットのデータ構造を概略的に示す図である。
【図４】光ビームの照射パワーと、そのときの光ビームで記録されたデータのエラーレートとの関係を示す図である。
【図５】この発明の光ビームの照射パワー調整方法を説明するフローチャートである。
【図６】図５の続きのフローチャートである。
【符号の説明】
１…光ディスク
２…ディスクモータ
３…ＰＵＨ（ピックアップヘッド）
３ａ…レーザ照射部
３ｂ…光検出部
４…レーザ制御部
５…記録データ生成部
６…信号処理部
７…エラー訂正処理部
７ａ…エラー検出部
７ｂ…エラーライン判定部
８…フォーカス／トラキング制御部
９…照射パワー調整部
【図１】
0003819683.tif 000002
【図２】
0003819683.tif 000003
【図３】
0003819683.tif 000004
【図４】
0003819683.tif 000005
【図５】
0003819683.tif 000006
【図６】
0003819683.tif 000007